(57)【特許請求の範囲】
【請求項１】
食卓を覆う大きさに形成された矩形状を成すカバー本体と、そのカバー本体と一体状に形成された複数枚ナプキン片と、カバー本体の端部側に設けられた２本を一組とす複数組の切れ目とを備えたテーブルカバーであって、２本の切れ目間の幅と同一幅の突片を前記カバー本体の外周端部から延設し、その一部が外方に突出した形状のナプキン片を形成するとともに、前記ナプキン片の突片を、係止部材を介して、カバー本体に二つ折り留め可能に構成したことを特徴とするナプキン機能付きテーブルカバー。
【請求項２】
食卓を覆う大きさに形成された矩形状を成すカバー本体と、そのカバー本体とは別体状に形成された複数枚のナプキン片と、カバー本体の端部側に設けられた２本を一組とする複数組の切れ目とを備えたテーブルカバーであって、２本の切れ目間の幅と同一の幅で、かつ所定の長さを有してナプキン片を形成し、そのナプキン片を、その一部が外方に突出するように、係止部材を介してカバー本体に着脱自在に取り付けるとともに、その外方に突出した部分を、別途な係止部材を介してカバー本体に二つ折り留め可能に構成したことを特徴とするナプキン機能付きテーブルカバー。
【請求項３】
上記したカバー本体に切れ目を設けずに、別体に設けたナプキン片をカバー本体の所定の箇所に着脱自在に取り付けたことを特徴とする請求項２に記載のナプキン機能付きテーブルカバー。
【発明の詳細な説明】
【０００１】
【発明の属する技術分野】
本発明は、テーブルカバーの周部に、食事の際における衣服の汚れ防止と、こぼれた食べ物を保持することができる機能的なナプキン付きテーブルカバーに関する。
【０００２】
【従来の技術】
従来より、椅子に腰掛けてテーブルで食事をする際は、食卓となるテーブル面の汚れ防止はもとより、楽しい食事の場を演出するなどの理由も合わせて、それぞれ好みやセンスで選んだテーブルカバー（テーブルクロスも含む）をテーブル面に掛ける家庭が一般的に多くなっている。
【０００３】
さらに、それらのテーブルカバーは、多様な好みに対応できる素材として、布地や合成樹脂シートの他に、布地と透明シートを貼り合わせて、布地の風合いを持たせながら防水効果も得るテーブルカバーもあり、さらに柄や模様、風合いも多種多様なタイプが提供されている。
【０００４】
以上のようなテーブルカバーは、食卓となるテーブル面の汚れ防止や、食事時の雰囲気を高めるなどの目的で用いられている。他方、まだ食事が上手にできない幼児はもとより、身体が不自由になつた高齢者などにおける食事の際は、テーブル面に食べ物をこぼしたり、時には衣服や絨緞を汚してしまうこともあるので、幼児にはよだれ掛けをしたり、身体が不自由な大人の場合は膝の上にナプキンや手ぬぐいなど置いて食事をすることも多いが、別途、こぼれた食べ物を受ける専用のポケット付き前掛けやナプキンなどを用いたりしている。また前記するテーブルカバーなどにおいても、食事の際に食べ物をこぼしても、衣服を汚さないことを目的とするテーブルカバーとして、実用新案登録第３０１９８０３号や同第３０６７７９１号に開示される技術がある。
【０００５】
まず実登第３０１９８０３号における技術は、テーブル面を覆うテーブルクロスの四辺に、別途に、折り返しを形成する生地を四枚形成し、その折り返しを形成した生地を、前記テーブルクロスの四辺にテープファスナーで取り付けて使用することで、テーブル面のパン屑やこぼした液体を前記する折り返しを形成する生地で受け止めることにより、テーブル面の汚れの処理ができる折り返し付きテーブルクロスの技術である。
【０００６】
次に、実登第３０６７７９１号に示す技術は、テーブルを覆う大きさで成る長方形のビニール布の一辺に紐を取り付けた、よだれ掛け兼用のテーブルカバーであり、使用する時は幼児の首回りに紐で結んで後に、ビニール布をテーブル面を覆ってから食器を載せて食事をさせ、食事後はテーブルカバーを取り外して洗うことにより、テーブル面を掃除することもなく使えるものであり、前記する技術も含めて、幼児や身体が不自由な高齢者を対象として、テーブル面や衣服などの汚れ防止をすることができるテーブルカバーの技術である。
【０００７】
【発明が解決しようとする課題】
以上のようなテーブルカバーをはじめ、食事の時に便利なナプキンやこぼれた食べ物を保持できる前掛けなど様々な物や技術が提供されており、これらは楽しい食事の演出効果はもとより、汚れ防止や介護者の負担軽減に一定の目的を果たすものであるので、これからも欠かせないテーブル周りの備品である。特に最近は身体が不自由でない一般の方であっても、テーブルマナーとしてナプキンを使う家庭も多くなっている。
【０００８】
しかし毎日の食事は、一般の大人をはじめ、幼ない子供や身体が不自由になった高齢者いずれであっても、日々欠かせないことはだれもが承知している。その中にあって、幼い子供や身体が不自由になった高齢者の食事の際には、こぼさないで上手に食べられるように、また食べ物で衣服や絨緞、畳などを汚さないように世話をする母親や家族による手助けは欠かせないが、これは毎日のことでもあるので本人はもとより周りの者も日々大変であった。
【０００９】
以上のような幼い子供や身体が不自由になった高齢者の食事時に、衣服など汚れるのを防止することを目的とした、前記のような食事手助け備品も提供されたり技術も開示されているが、以下に示すような不便や欠点があった。
【００１０】
まず、幼児や身体が不自由になつた高齢者などを対象とした、こぼれた食べ物を大きなポケットで保持し、衣服や絨緞など汚さない目的で用いられる、専用のエプロンや前掛けなどは一定の汚れ防止効果は得られるが、幼児などは落ち着いて食事しないことが多いので、こぼした食べ物を確実に保持できないことも多く、また子供はテーブル面に覆いかぶさるようにして食事するので、体の前にある肝心のポケットも押し潰されてしまい、本来の役に立たないなどの欠点がある。他方、高齢者などの場合は落ち着いて食事するが、しかし、こぼした食べ物を保持する、専用のエプロンや前掛けは見栄えもよくないうえ、家族の中で自分だけ用いるのは違和感を感じるためか、多くは嫌がって使わないなどの不便がある。
【００１１】
加えて、開示される実用新案登録第３０１９８０３号における技術は、テーブル面を覆うテーブルクロスの四辺に、パン屑やこぼした液体を受け止められる折り返しを形成したテーブルクロスであるが、この技術は、テーブル面にこぼしたパン屑や液体しか保持することができず、しかも前記する折り返し部はテープファスナー等で二つ折りに閉じられているので、受け止めるにはそのつど、二つ折り部を少し広げてパン屑や液体を掻き入れなくてはならないため、面倒でもありその後の処理も簡単ではない。また折り返し部はテーブル周囲のみであるので、食事する人の衣服や絨緞などの汚れ防止は全くできないなどの不便がある。
【００１２】
さらに実登第３０６７７９１号における技術は、テーブル面を覆う大きさのビニール布の一辺に紐を取り付けた、よだれ掛け兼用のテーブルカバーであるが、この技術は、単によだれ掛けを巨大にしただけであって、新たな技術と言えるものではなく、加えて、その使用に当たっても、幼児の首回りに直接紐で結び付けるので、汚れ防止のビニール布と首の根元部分に一定の間隔も遊びもない。したがって幼児が動くのに連動して食器が載せられたビニール布も動くので、食器を倒してしまう危険もあるなど、技術的にも実用性においてもユーザーの期待に応えられる技術ではなかった。
【００１３】
【課題を解決するための手段】
本発明は従来の不便や欠点を解消して、食事の雰囲気を高めることやテーブル面の清潔を維持することはもとより、衣服の汚れ防止やこぼれた食べ物を保持することも可能な、ナプキン機能も合わせ持つテーブルカバーを提供するものである。その構成として、請求項１は、食卓を覆う大きさに形成された矩形状を成すカバー本体と、そのカバー本体と一体状に形成された複数枚のナプキン片と、カバー本体の端部側に設けられた２本を一組とする複数組の切れ目とを備えたテーブルカバーであって、２本の切れ目間の幅と同一幅の突片を前記カバー本体の外周端部から延設し、その一部が外方に突出した形状のナプキン片を形成するとともに、前記ナプキン片の突片を、係止部材を介してカバー本体に二つ折り留めできるように構成することで、テーブルカバーとしてはもとより、食事の際におけるナプキン付きテーブルカバーとしても使用できる構成とする。
【００１４】
請求項２においては、食卓を覆う大きさに形成された矩形状を成すカバー本体と、そのカバー本体とは別体状に形成された複数枚のナプキン片と、カバー本体の端部側に設けられた２本を一組とする複数組の切れ目とを備えたテーブルカバーであって、２本の切れ目間の幅と同一の幅で、かつ所定の長さを有してナプキン片を形成し、そのナプキン片を、その一部が外方に突出するように、係止部材を介してカバー本体に着脱自在に取り付けるとともに、その外方に突出した部分を、別途な係止部材を介してカバー本体に二つ折り留めできるようにすることで、単一のテーブルカバーとしてはもとより、食事の際におけるナプキン付きテーブルカバーとして両用に使用できる構成とする。
【００１５】
請求請３においては、上記した請求項２に記載のテーブルカバーにおけるカバー本体に切れ目を設けずに、別体に設けたナプキン片をカバー本体の所定の箇所に着脱自在に取り付けられるように構成することで、さらにシンプルにしてかつナプキンも使用できるテーブルカバーとする。
【００１６】
【発明の実施の形態】
本発明におけるテーブルカバー１は、矩形状のカバー本体２の周囲にナプキン片５を設けているので、テーブルを覆えることとナプキンの相乗効果を合わせ持つものである。すなわち矩形状のカバー本体２の長手方向の端部側に切れ目６，６を形成し、その切れ目６部分の外周端部から突片４を延長してナプキン片５を形成するか、又は別体のナプキン片５を取り付けるように構成するので、ナプキン片５を膝の上に載せるだけで容易にナプキンとして使える。加えて、ナプキン片５の端部とその対向部位には、一組の面ファスナー８，８を備えているので、食事の後はナプキン片５の汚れ部分だけ処理した後に、折り返して簡単に留められるので、使わない時は通常のテーブルカバー様を成す構成である。
【００１７】
以上のような各実施例を形成するが、さらに図１０に示すようにナプキン片５の裏面に摩擦部材１４を付けてスベリ止め処理を施すと、食事の際に膝の上に位置したナプキン片５は、前記摩擦部材１４によるスベリ止め効果を得てずり落ちにくいナプキン片５を形成する。
【００１８】
【実施例】
実施例１
実施例１におけるテーブルカバーを図１に示す展開図と図２のテーブルに掛けた一部開放状態を示す斜視図、図３のテーブルカバーの使用状態を示す一部省略側面図を参照して説明する。
本発明に採用するテーブルカバーは１は、布地や合成樹脂素材等で成る矩形状のカバー本体２をベースとするもので、そのカバー本体２の端部から内側面に位置するテーブル端部位３近くまで至る部分（以下、この部分を垂れ下げ部と称する）の長手方向の二辺には、その垂れ下がり部を縦断する長さを有し、かつ人の膝が覆える幅を有する２本で一組の切れ目６，６が複数組設けられており、またその切れ目６，６間の幅と同一幅で、図３に示すような所定の長さを有する突片４が、カバー本体２の外周端部から延長された形態で一体状に突設されている。したがってその切れ目６，６間に位置するカバー本体２の一部と前記突片４を合わせた部分がナプキン片５であり、そのナプキン片５が、図示のようにカバー本体２の長手辺に一定間隔を置いて各２枚づつ設けられているものである。以上のように四枚のナプキン辺５，５，５，５には、使用しない時に二つ折り留めするための係止部材７として、ナプキン片５端部と、前記したテーブル端部位３近く、もしくは切れ目６奥部位のカバー本体２に、雄雌二つで一組とする面ファスナー８，８を取り付けて、実施例１のナプキン機能付きのテーブルカバー１を構成する。そして食事をする際には突片４を展開して使用し、また不使用時には突片４を折り返して留め付け、通常のテーブルカバーの形態とするものである。
【００１９】
実施例２
実施例２を図４に示すテーブルカバーの展開図と、図５に示す一部開放した使用状態の斜視図を参考にして説明する。
実施例２の基本構成は前記実施例１と同様に、矩形状のカバー本体２の長手方向の二辺部にナプキン片５を形成するが、さらに、そのナプキン片５に設ける係止部材７は、雄雌二つで一組とするホック９，９を、前記したナプキン片５の端部と、その対向部位のカバー本体２の内側に位置するテーブル端部位３近く（図示せず）、もしくは２本の切れ目６，６の奥寄りに取り付けた前記ナプキン片５の端部に、紐部材１０として、一本で首に掛け渡せる長さの紐を二か所に付けて輪状になる吊り紐１１を取り付けて、実施例２のナプキン機能付きのテーブルカバー１を構成する。
【００２０】
実施例３
実施例３のテーブルカバーを、図６に示す一部分離した展開図を参照にして説明する。
前記実施例１及び２に示すナプキン片５は、矩形状のカバー本体２と一体形成されるが、実施例３においては、テーブルカバー１に設けるナプキン片５が、カバー本体２と着脱分離できるタイプである。この場合のナプキン片５は、前実施例の場合と同様な２本の切れ目６，６間の幅と同一幅で、切れ目６の長さの約半分程度に形成され、かつカバー本体２と同じ素材によって形成されたものである。またカバー本体２の長手方向の垂れ下げ部に、前述したような２本を１組とする複数組の切れ目６，６が施されているので、その切れ目６，６間におけるカバー本体２の端部に、係止部材７を介して前記ナプキン片５を取り付けるのであるが、この係止部材７は、雄雌２つで一組とする面ファスナー８，８から成るもので、一方の面ファスナー８を切れ目６，６間の端部に取り付け、他方の面ファスナー８をナプキン片５の裏面側の一端部に取り付けるようになっている。また、このナプキン片５を折り返し留めする係止部材７として、雄雌二つで一組とする面ファスナー８，８をナプキン片５の表面側の対向する二辺部に設け、さらに前記ナプキン片５の裏面に設けた面ファスナー８の反対側に、紐部材１０となる一定の長さの結び紐１２，１２を２本取り付けたナプキン片５を、前記矩形状のカバー本体２に組み合わせて、実施例３のナプキン機能付きのテーブルカバー１を構成する。
【００２１】
したがって扱い方や機能は前記各実施例と同様の効果を得る。また取り付けられている結び紐１２は２本で結ぶ方式であるので、座高の低い子供の場合でも紐の長さの調節が容易にできるとともに、ナプキン片５は着脱自在であるので汚れたナプキン片５だけを取り外して単独に洗える。
【００２２】
実施例４
実施例４を図７に示すテーブルカバーの一部分離した展開図と図８に示すナプキン片の拡大側面図、図９に示す使用状態を示す一部省略側面図を参照して説明する。    実施例４に示すテーブルカバー１は、前記実施例３タイプと同様にナプキン片５が着脱できる別のタイプである。この場合のナプキン片５の幅は、前記実施例３タイプと同様であるが、長さは２倍程度長いナプキン片５を採用し、そのナプキン片５を、図７に示すような切れ目６を設けないカバー本体２の垂れ下げ部の上部位に、係止部材７を介して着脱自在に取り付けるようになっている。またナプキン片５の端部に、ゴム素材のように伸びる伸縮吊り紐１３を取り付けて、実施例４のナプキン片機能付きテーブルカバーを構成する。
【００２３】
このように本実施例はテーブルカバー１を成すカバー本体２はシンプルであり、また別途に形成されるナプキン片５は、前記各実施例のような切れ目６がなくても同様のナプキン機能を得る。また備えられている紐は自在に伸びる伸縮紐１３を採用しているので、座高の違いにも対応でき、かつナプキン片５やテーブルカバー１に伝わる動きも吸収するため、使用者の動きによる影響を最小限にすることが可能である。
【００２４】
以上のようなナプキン機能付きテーブルカバー１の各実施例を示すが、これらの基本構成におけるナプキン片５の他の技術として、図１０に示すスベリ止め付きのナプキン片５を示す。このテーブルカバー１は実施例１タイプにおける切れ目６及びカバー本体２と折り留めするナプキン片５に一組の面ファスナー８，８を取り付けたナプキン片５の裏面に、ナプキンとして使用した際に、ナプキン片５が膝の上からスベリ落ちにくくするため、小さなゴム片などの摩擦部材１４を取り付けて成るスベリ止め処理を施したテーブルカバー１を構成しており、この摩擦部材１４は他のいずれの実施例のナプキン片５にも共通する技術とする。
【００２５】
本発明によるテーブルカバー１は以上のような構成であるが、カバー本体２やナプキン片５それぞれに設ける、雄雌二つで一組とする係止部材７は、図示する以外のボタンやチャックなど採用しても構わない。また、図示する面ファスナー８，８は、一列に小さなものを複数個設けているが、長い物一枚でもよい。さらにテーブルカバー１に設けるナプキン片５は、長手方向の二辺に設けているが、短辺を含めた全周に設けても差し支えないし、そのナプキン片５の数も含めていずれも特に限定するものではない。
【００２６】
【発明の効果】
本発明のテーブルカバーは以上のような構成としているので、従来に見られない次のような長所や効果を提供する。  まず、テーブルカバーの長手方向の二辺部には、各辺枚のナプキン片を備えているので、食事する際にそのつどナプキンを用意しなくてもすぐに使うことができる。加えて、ナプキン片に紐を取り付けたタイプは、一定の長さと紐が自在に動くので、仮に食事中に体が動いてもナプキン片やテーブルカバーに直接伝わりにくいので安定して使える。またナプキン片端部とテーブルの端部近くには、雄雌二つで一組とする面ファスナーを設けているので、食事後に汚れを処理してから二つ折りすると留められるので、通常のテーブルカバー様に体裁よくまとめられる。さらにナプキン片の裏面に摩擦部材を施した場合は、食事中に多少動いても膝の上に位置しているナプキン片が摩擦部材によるスベリ止め効果を得るため、ずり落ちたりする心配もなく安定して使える。
【００２７】
さらにナプキン片が取り外しできるタイプは、特定のナプキン片の汚れが大きい場合は簡単に取り外して洗うこともできるし、また必要なら好みや雰囲気に合う色彩や柄など異なるナプキンに代えて楽しむことも可能である。加えて各辺に複数個ナプキンを備えているので、幼児や身体の不自由な高齢者はもとより家族全員が使えるので、高齢者の場合でも、自分だけ特別扱いされているような抵抗感を解消できるうえ、特に紐付きの場合はゲームなどの遊びをする際の補助物置き場所としても使える、多様にして機能的でかつ安価にして広く提供することができるナプキン機能付きテーブルカバーである。
【図面の簡単な説明】
【図１】実施例１のテーブルカバーを示す展開図。
【図２】実施例１のテーブルカバーをテーブルに掛けた状態を示す一部開放斜視図。
【図３】実施例１のテーブルカバーの使用状態を示す一部省略側面図。
【図４】実施例２のテーブルカバーを示す展開図。
【図５】実施例２のテーブルカバーの使用状態を示す一部開放した斜視図。
【図６】実施例３のテーブルカバーを示す一部分離した展開図。
【図７】実施例４のテーブルカバーを示す一部分離した展開図。
【図８】実施例４のテーブルカバーのナプキン片を示す拡大側面図。
【図９】実施例４のテーブルカバーの使用状態を示す一部省略した側面図。
【図１０】実施例１タイプのナプキン片の裏面に、摩擦部材を取り付けたテーブルカバーの斜視図。
【符号の説明】
１・・テーブルカバー、２・・カバー本体、３・・テーブル端部位、４・・突片、５・・ナプキン片、６・・切れ目、７・・係止部材、８・・面ファスナー、９・・ホック、１０・・紐部材、１１・・吊り紐、１２・・結び紐、１３・・伸縮吊り紐、１４・・摩擦部材
【図１】
0003557557.tif 000002
【図２】
0003557557.tif 000003
【図３】
0003557557.tif 000004
【図４】
0003557557.tif 000005
【図５】
0003557557.tif 000006
【図６】
0003557557.tif 000007
【図７】
0003557557.tif 000008
【図８】
0003557557.tif 000009
【図９】
0003557557.tif 000010
【図１０】
0003557557.tif 000011